(57)【要約】      （修正有）【課題】立体感のある自然を感じさせる飾りを施し、簡単な構造な飾り台（盛籠）を提供する。【解決手段】飾り台１０は、正面でほぼ垂直に配置する正面板１１と、その正面板１１左側に連結して配置する左側面板１２と、の正面板１１の右側に連結して配置する右側面板と、正面板１１と左側面板１２と右側面板の各上辺に連結して配置する天板１４と、を備える。正面板１１と左側面板１２と右側面板の少なくとも一つに、レンチキュラーレンズと装飾用絵柄シートとを有するレンチキュラーシート２０を配置する。【選択図】図１
0003193503.tif 000002
【実用新案登録請求の範囲】
【請求項１】
正面からはほぼ直角に配置する正面板と、その正面板の左側に連結して配置する左側面板と、前記の正面板の右側に連結して配置する右側面板と、前記の正面板と左側面板と右側面板の各上辺に連結して配置する天板と、を備え、
前記の正面板と左側面板と右側面板の少なくとも一つに、レンチキュラーレンズと装飾用絵柄シートとを有するレンチキュラーシートを配置して固定した飾り台。
【請求項２】
前記の正面板は、その上部へ贈答品の収納空間を備える盛籠とした請求項１に記載の飾り台。
【考案の詳細な説明】
【技術分野】
【０００１】
本考案は、品物を装飾する飾り台を提供する技術に関する。
【背景技術】
【０００２】
お盆や法事など仏事の際、お供え物などの品物を装飾する飾り台としては、盛籠（または「かご盛」）がある。地域によって異なるが、盛籠は、菓子や缶詰や果物などの食品類、あるいは石鹸やタオルやハンカチなどの日常品、その他の贈答品をかごや箱に入れ、飾りを施して装飾するものである。その飾りとしては、生花や造花の他、花や鳥や風景などの絵柄を印刷した紙やプラスチックシートを用いていた。
【０００３】
特許文献１には、立体感と自然の温もりを感じることができる飾りを施す工夫をしている。そのために、生花、乾し花または造花等からなる花、あるいは樹木の葉の葉脈を装着する。
【０００４】
特許文献２には、組立、解体をほぼワンタッチで行えるような構造の盛籠セットがある。２本の前脚の上端部と、２本の後脚の上端部とを回動して折り畳み可能に取り付ける。盛籠セットは、２本の前脚と２本の後脚の下端側を開いて立てる。また、盛籠を掛けるための掛止部材を２本の前脚の上端に、前方へ折り畳み可能に取り付ける。２本の前脚の前側に、透かし窓等の装飾を施した板材を固定する。
【先行技術文献】
【特許文献】
【０００５】
【特許文献１】実用新案登録第３１０６２３９号公報
【特許文献２】実用新案登録第３０９５１２０号公報
【考案の概要】
【考案が解決しようとする課題】
【０００６】
特許文献１では、立体的な自然を感じさせる、生花、乾し花または造花等からなる花、あるいは樹木の葉の葉脈を飾りとして用いる。
特許文献２では、装飾としては、透かし窓等の装飾を施した板材である。
いずれにも長所はあるが、立体的な自然を感じさせるものではない。
【０００７】
本願考案が解決しようとする課題は、簡単な構造で、立体感のある自然を感じさせる飾りを施した飾り台（盛籠）を提供することにある。
【課題を解決するための手段】
【０００８】
（考案の内容）
本願における考案は、  正面からはほぼ直角に配置する正面板(11)と、その正面板(11)の左側に連結して配置する左側面板(12)と、前記の正面板(11)の右側に連結して配置する右側面板(13)と、前記の正面板(11)と左側面板(12)と右側面板(13)の各上辺に連結して配置する天板(14)と、を備える。  前記の正面板(11)、左側面板(12)、および右側面板(13)の少なくとも一つに、レンチキュラーレンズ(21)と装飾用絵柄シート(22)とを有するレンチキュラーシート(20)を配置した飾り台(10)に係る。
【０００９】
（考案による作用）
正面板(11)と左側面板(12)と右側面板(13)にそれぞれ、レンチキュラーシート(20)を装着したので、簡単な構造であるにもかかわらず、装飾用絵柄シート(22)における装飾用絵柄がレンチキュラーレンズ(21)によって立体的で動きのあるように見える。特に、装飾用絵柄を自然界の動植物とすれば、飾り台(10)が立体感にあふれる自然の美しさで装飾される。
【考案の効果】
【００１０】
本考案によれば、簡単な構造で、立体感のある自然を感じさせる飾りを施した飾り台を提供することができた。
【図面の簡単な説明】
【００１１】
【図１】本考案の実施形態に係る飾り台を示す斜視図である。
【図２】図１の飾り台を分解した斜視図である。
【図３】図１の飾り台を背面側から視た斜視図である。
【図４】レンチキュラーシートの分解斜視図である。
【考案を実施するための形態】
【００１２】
以下、本考案の実施形態に係る飾り台について図面を参照して説明する。ここで使用する図面は、図１から図４である。
【００１３】
本実施形態は、主に盛籠として用いられる飾り台１０である。その飾り台１０は、正面板１１と、左側面板１２と、右側面板１３と、天板１４と、を備える。
正面板１１は、正面でほぼ垂直に配置する板状の部材であり、例えば屏風のように複数の枠材で平面状に組み合わせたものや、単なる板材も含まれる。本実施形態では、４本の外枠材１１ａ，１１ｂ，１１ｃ，１１ｄで長方形に組み立てる。さらに、前記の外枠材１１ａ，１１ｂ，１１ｃ，１１ｄを横方向の窓枠材１１ｅで上部窓部１１ｆと下部窓部１１ｇに仕切る。上部窓部１１ｆには、レンチキュラーシート２０を装着する。下部窓部１１ｇは通気口となる。
【００１４】
左側面板１２は、正面板１１の左側に連結して配置する板状の部材であり、形状的には上述の正面板１１と同様である。本実施形態では、正面板１１と同様の構造であり、外枠材や窓枠材などは同じ符号を付している。上部窓部１１ｆにはレンチキュラーシート２０を装着する。
【００１５】
右側面板１３は、正面板１１の右側に連結して配置する板状の部材であり、形状的には上述の正面板１１と同様である。本実施形態では、正面板１１と同様の構造であり、外枠材や窓枠材などは同じ符号を付している。上部窓部１１ｆにはレンチキュラーシート２０を装着する。
【００１６】
上記の正面板１１と左側面板１２と右側面板１３のすべてにレンチキュラーシート２０を装着することが望ましいが、その限りではない。すなわち、正面板１１と左側面板１２と右側面板１３のいずれかの一つまたは二つに、前記のレンチキュラーシート２０を装着してもよい。
【００１７】
天板１４は、正面板１１と左側面板１２と右側面板１３の各上辺に連結して配置する板状の部材であり、盛籠３０などの品物を載せる台となる。本実施形態では、平面で台形形状であるが、四角形状でもよく、その限りではない。
【００１８】
正面板１１と左側面板１２と右側面板１３は、図３に示すように、互いに隣り合う辺をヒンジ１５などの連結具によって折り畳み可能に連結している。したがって、正面板１１と左側面板１２との開き角度、および正面板１１と右側面板１３との開き角度を、自在に調整することができ、“ついたて”のように立てることができる。天板１４は、正面板１１と左側面板１２と右側面板１３の各上辺に載せてネジなどの固定具にて固定する。
【００１９】
レンチキュラーシート２０について詳しく説明する。レンチキュラーシート２０は、図４に示すように、レンチキュラーレンズ２１と装飾用絵柄シート２２が重ね合わさったシートであり、装飾用絵柄２２ａが立体的で動きのあるように見えるシートである。
【００２０】
レンチキュラーレンズ２１は、表面側で多数の凸部レンズが並列して平板状を形成しており、裏面側は平坦面である。凸部レンズは、例えば略半円柱状の極小レンズが一方向に連なっている。
【００２１】
装飾用絵柄シート２２は、レンチキュラーレンズ２１の裏面側の平坦面に、例えば装飾用絵柄２２ａを印刷することで、装飾用絵柄２２ａのシート層を形成することができる。あるいは、装飾用絵柄２２ａを印刷した紙のシートを、レンチキュラーレンズ２１の裏面側の平坦面に接着剤で接合してもよい。
【００２２】
さらに、装飾用絵柄シート２２の裏面に、裏当てシート２３を重ね合わせる。裏当てシート２３は、装飾用絵柄シート２２の裏面に樹脂などを印刷して形成することができる。あるいは、紙のシートを裏当てシート２３とすることができる。
【００２３】
レンチキュラーシート２０で装飾用絵柄２２ａが立体的に見える仕組みとしては、以下の通りである。
上記の装飾用絵柄シート２２の装飾用絵柄２２ａは、レンチキュラーレンズ２１における、一つの略半円柱状の凸部レンズと対向する領域に、両眼視差の作用を生じさせるように僅かに異なった左眼用画素と右眼用画素を、前記の凸部レンズの幅方向に並べて配置している。
【００２４】
人が凸部レンズ側から視た時に、凸部レンズの光屈折効果によって、左眼では左眼用画素が視えるが、右眼用画素は視えない。一方、右眼では右眼用画素が視えるが、左眼用画素は視えない。そこで、左眼と右眼によって、僅かに異なった位置の左眼用画素と右眼用画素をそれぞれ視るために、立体的な視覚効果が生じるのである。
【００２５】
以上のように、本実施形態の飾り台１０は、図１および図２に示すように、正面板１１と左側面板１２と右側面板１３に、レンチキュラーシート２０，２０，２０を装着したので、簡単な構造である。しかも、レンチキュラーシート２０は、装飾用絵柄シート２２における装飾用絵柄２２ａがレンチキュラーレンズ２１によって立体的で動きのあるように見える。したがって、装飾用絵柄２２ａを、自然界の動物や鳥、花や草木などの植物とすれば、特に、飾り台１０のほぼ全体を立体感にあふれる自然の美しさで装飾することができた。
【００２６】
上記の飾り台１０の上には、盛籠３０を載せることができる。盛籠３０は、菓子や缶詰や果物などの食品類、あるいは石鹸やタオルやハンカチなどの日常品、その他の贈答品をかごや箱に入れて飾りで装飾するものである。
【産業上の利用可能性】
【００２７】
本考案は、仏事や法事などに用いる用品の製造業、販売業、仏事や法事などに用いる用品のレンタルサービス業、菓子や缶詰や果物などの食品類、あるいは石鹸やタオルやハンカチなどの日常品、その他の贈答品を販売する販売業、などにおいて、利用可能性を有する。
【符号の説明】
【００２８】
１０；  飾り台
１１；  正面板                    １１ａ，１１ｂ，１１ｃ，１１ｄ；  外枠材
１１ｅ；  窓枠材                  １１ｆ；  上部窓部
１１ｇ；  下部窓部
１２；  左側面板                  １３；  右側面板
１４；  天板                      １５；  ヒンジ
２０；  レンチキュラーシート
２１；  レンチキュラーレンズ      ２２；  装飾用絵柄シート
２２ａ；  装飾用絵柄              ２３；  裏当てシート
３０；  盛籠
【図１】
0003193503.tif 000003
【図２】
0003193503.tif 000004
【図３】
0003193503.tif 000005
【図４】
0003193503.tif 000006
【手続補正書】
【提出日】平成26年8月5日(2014.8.5)
【手続補正１】
【補正対象書類名】実用新案登録請求の範囲
【補正対象項目名】全文
【補正方法】変更
【補正の内容】
【実用新案登録請求の範囲】
【請求項１】
正面からはほぼ直角に配置する正面板と、その正面板の左側に連結して配置する左側面板と、前記の正面板の右側に連結して配置する右側面板と、前記の正面板と左側面板と右側面板の各上辺に連結して配置する天板と、を備え、
前記の正面板と左側面板と右側面板の少なくとも一つに、レンチキュラーレンズと装飾用絵柄シートとを有するレンチキュラーシートを配置して固定した飾り台。
【請求項２】
前記の天板は、その上部へ贈答品の収納空間を備える盛籠とした請求項１に記載の飾り台。